(57)【特許請求の範囲】
【請求項１】
健康管理情報を端末装置に出力させる情報処理装置であって、
上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、
上記健康管理情報の提示対象のユーザを特定するユーザ特定手段と、
上記ユーザ特定手段が特定したユーザの健康管理情報を、ユーザ毎に上記健康管理情報が格納されたデータベースから取得して上記端末装置に出力させる出力制御手段と、を備え、
上記健康管理情報に含まれる情報は、複数種類に分類されており、
上記複数種類の情報のうち、上記出力制御手段が出力させる情報の種類を選択する選択手段と、
上記端末装置が予め定められたカテゴリの何れに属するか判定する判定手段とを更に備え、
上記選択手段は、上記ユーザ特定手段が特定したユーザに対し、上記複数種類の情報のうち、上記判定手段が判定したカテゴリに応じた種類の情報を選択し、
上記健康管理情報には、上記先天因子情報および上記後天因子情報に基づく当該ユーザの健康管理に関するアドバイスが含まれており、
上記後天因子情報が更新された場合に、更新後の後天因子情報と上記先天因子情報とに基づくものとなるように、上記アドバイスの内容を更新する更新手段を備えていることを特徴とする情報処理装置。
【請求項２】
健康管理情報を出力する出力部を備えた端末装置であって、
上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、
上記健康管理情報の提示対象のユーザを特定するユーザ特定手段と、
ユーザ毎に上記健康管理情報が格納されたデータベースから取得された、上記ユーザ特定手段が特定したユーザの健康管理情報を上記出力部に出力させる出力制御手段と、を備え、
上記健康管理情報に含まれる情報は、複数種類に分類されており、
上記複数種類の情報のうち、上記出力制御手段が出力させる情報の種類を選択する選択手段と、
当該端末装置が予め定められたカテゴリの何れに属するか判定する判定手段とを更に備え、
上記選択手段は、上記ユーザ特定手段が特定したユーザに対し、上記複数種類の情報のうち、上記判定手段が判定したカテゴリに応じた種類の情報を選択し、
上記健康管理情報には、上記先天因子情報および上記後天因子情報に基づく当該ユーザの健康管理に関するアドバイスが含まれており、
上記後天因子情報が更新された場合に、更新後の後天因子情報と上記先天因子情報とに基づくものとなるように、上記アドバイスの内容を更新する更新手段を備えていることを特徴とする端末装置。
【請求項３】
情報処理装置によって健康管理情報を端末装置に出力させる情報処理システムであって、
上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、
上記端末装置は、該端末装置のユーザを上記情報処理装置に通知し、
上記情報処理装置は、上記端末装置から通知されたユーザの健康管理情報を、ユーザ毎に上記健康管理情報が格納されたデータベースから取得し、取得した健康管理情報を当該端末装置に送信して出力させるものであり、
上記健康管理情報に含まれる情報は、複数種類に分類されており、
上記複数種類の情報のうち、上記端末装置がする情報の種類を選択する選択手段と、
上記端末装置が予め定められたカテゴリの何れに属するか判定する判定手段とを備え、
上記選択手段は、上記端末装置のユーザに対し、上記複数種類の情報のうち、上記判定手段が判定したカテゴリに応じた種類の情報を選択し、
上記健康管理情報には、上記先天因子情報および上記後天因子情報に基づく当該ユーザの健康管理に関するアドバイスが含まれており、
上記後天因子情報が更新された場合に、更新後の後天因子情報と上記先天因子情報とに基づくものとなるように、上記アドバイスの内容を更新する更新手段を備えていることを特徴とする情報処理システム。
【請求項４】
健康管理情報を端末装置に出力させる情報処理装置の制御方法であって、
上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、
上記健康管理情報の提示対象のユーザを特定するユーザ特定ステップと、
上記ユーザ特定ステップで特定したユーザの健康管理情報を、ユーザ毎に上記健康管理情報が格納されたデータベースから取得して上記端末装置に出力させる出力制御ステップと、を含み、
上記健康管理情報に含まれる情報は、複数種類に分類されており、
上記複数種類の情報のうち、上記出力制御ステップが出力させる情報の種類を選択する選択ステップと、
上記端末装置が予め定められたカテゴリの何れに属するか判定する判定ステップとを更に含み、
上記選択ステップは、上記ユーザ特定ステップが特定したユーザに対し、上記複数種類の情報のうち、上記判定ステップが判定したカテゴリに応じた種類の情報を選択し、
上記健康管理情報には、上記先天因子情報および上記後天因子情報に基づく当該ユーザの健康管理に関するアドバイスが含まれており、
上記後天因子情報が更新された場合に、更新後の後天因子情報と上記先天因子情報とに基づくものとなるように、上記アドバイスの内容を更新する更新ステップを含んでいることを特徴とする情報処理装置の制御方法。
【請求項５】
健康管理情報を端末装置に出力させる情報処理装置であって、
上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、
上記健康管理情報の提示対象のユーザを特定するユーザ特定手段と、
上記ユーザ特定手段が特定したユーザの健康管理情報を、ユーザ毎に上記健康管理情報が格納されたデータベースから取得して上記端末装置に出力させる出力制御手段と、を備え、
上記健康管理情報に含まれる情報は、複数種類に分類されており、
上記複数種類の情報のうち、上記出力制御手段が出力させる情報の種類を選択する選択手段と、
上記端末装置が予め定められたカテゴリの何れに属するか判定する判定手段とを更に備え、
上記選択手段は、上記複数種類の情報のうち、上記判定手段が判定したカテゴリに応じた種類の情報を選択し、
上記健康管理情報には、上記先天因子情報および上記後天因子情報に基づく当該ユーザの健康管理に関するアドバイスが含まれており、
上記後天因子情報が更新された場合に、更新後の後天因子情報と上記先天因子情報とに基づくものとなるように、上記アドバイスの内容を更新する更新手段を更に備えていることを特徴とする情報処理装置。
【請求項６】
請求項１又は５に記載の情報処理装置としてコンピュータを機能させるための制御プログラムであって、コンピュータを上記各手段として機能させるための制御プログラム。
【請求項７】
請求項６に記載の制御プログラムを記録したコンピュータ読み取り可能な記録媒体。
【発明の詳細な説明】
【技術分野】
【０００１】
本発明は、ユーザの健康管理を補助する情報処理装置等に関する。
【背景技術】
【０００２】
近年、健康への関心が高まっており、健康に関する多くの書籍が出版されており、インターネット等においても健康に関する多量の情報が公開されている。また、健康管理のために、従来の一般的な健康診断の他に、近年では遺伝子検査等を受ける例もみられるようになっている。
【０００３】
遺伝子検査の結果や健康診断の結果は、それ自体が健康管理のために有用な情報であり、またこのような結果を解析することにより、そのユーザに応じた適切な健康管理の方法を特定することもできる。なお、遺伝子解析結果の利用に関する従来技術としては、例えば下記の特許文献１が挙げられる。
【先行技術文献】
【特許文献】
【０００４】
【特許文献１】特開２００２−１７５２８０号公報（２００２年６月２１日公開）
【発明の概要】
【発明が解決しようとする課題】
【０００５】
しかしながら、従来は、このような健康管理に有用な情報を利用するための仕組みが提供されておらず、情報が十分に利用されていないという問題があった。例えば、遺伝子検査結果から、ある疾患になるリスクが高いことが分かったとしても、その疾患に罹らないようにするためにどのような健康管理を行えばよいかが分からなければ、遺伝子検査の結果が十分に利用されたとは言えない。これは、遺伝子検査結果に限られず、健康診断などの結果についても同様である。
【０００６】
また、どのような健康管理を行えばよいかが分かったとしても、日常生活の中で自主的に健康管理を常に意識した生活習慣を継続して実行することは多くの人にとって難しい。例えば、健康診断の結果により、生活習慣として塩分を控えるという行動を実行する必要があると認識したとしても、日常生活の中で塩分を控えるべきであることを他者から指摘されなければ、塩分の摂取量を減らす行動を取ること自体を忘れてしまいがちである。また、塩分を控えるべきことを認識していたとしても、塩分を取ることを自制できない人も多いと思われる。なお、上記特許文献１の技術は、ユーザの遺伝子を解析して得た遺伝子情報を元に暗号を作成し、この暗号を用いてＩＤカードを作成するというものであり、遺伝子情報を健康管理に利用することはできない。
【０００７】
本発明は、上記の問題点に鑑みてなされたものであり、その目的は、個々のユーザに応じた健康管理に有用な情報を容易に利用し、望ましい生活習慣に沿った行動を自然に実行できるようにする情報処理装置等を提供することにある。
【課題を解決するための手段】
【０００８】
上記の課題を解決するために、本発明の情報処理装置は、健康管理情報を端末装置に出力させる情報処理装置であって、上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、上記健康管理情報の提示対象のユーザを特定するユーザ特定手段と、上記ユーザ特定手段が特定したユーザの健康管理情報を、ユーザ毎に上記健康管理情報が格納されたデータベースから取得して上記端末装置に出力させる出力制御手段と、を備えていることを特徴としている。
【０００９】
上記の構成によれば、ユーザ毎に健康管理情報が格納されたデータベースを用い、特定したユーザの健康管理情報を出力させるので、ユーザは、上記情報処理装置に自らを特定させることにより、自分の健康管理情報の提示を受けることができる。よって、上記の構成によれば、個々のユーザに応じた健康管理情報を容易に利用できるようにし、これにより、望ましい生活習慣に沿った行動を自然に実施させることができる。
【００１０】
また、この健康管理情報は、ユーザの健康に影響のある先天的な因子を示す先天因子情報とユーザの健康に影響のある後天的な因子を示す後天因子情報との少なくとも何れかに基づいて生成された情報を含む。このため、そのユーザの健康に影響を与える先天的な因子および後天的な因子の少なくとも何れかに応じた、健康管理に有用な情報を提示することができる。なお、上記情報処理装置は、上記端末装置と別体の装置であってもよいし、上記端末装置と一体に構成されていてもよい。
【００１１】
また、上記健康管理情報に含まれる情報は、複数種類に分類されており、上記情報処理装置は、上記複数種類の情報のうち、上記出力制御手段が出力させる情報の種類を選択する選択手段を備えていることが好ましい。
【００１２】
上記の構成によれば、健康管理情報に含まれる情報のうち、選択手段が選択した種類の情報が出力されるので、ユーザに提示すべき情報に絞り込んだ出力が可能になる。例えば、そのときにユーザが利用しない可能性の高い情報は出力しないようにすることもでき、これにより適切な情報提示が可能になる。なお、健康管理情報に含まれる情報は、当該情報の性質に基づいて分類されていてもよい。例えば、塩基配列などの遺伝子関連情報や、遺伝情報の解析により判明した健康情報などの生活環境情報、健康増進のために望ましい生活習慣に関するアドバイスである提示情報などに分類されていてもよい。
【００１３】
また、上記情報処理装置は、上記端末装置が予め定められたカテゴリの何れに属するか判定する判定手段を備え、上記選択手段は、上記複数種類の情報のうち、上記判定手段が判定したカテゴリに応じた種類の情報を選択することが好ましい。
【００１４】
ここで、ユーザがどのような端末装置を使用しているかによって、そのユーザに提示することが望ましい情報をある程度特定することができる。例えば、飲食店に設置されている端末装置を使用している場合、食品に関する情報の提示が望ましいと考えられる。また、例えば、医師などの医療関係者向けの端末装置が使用されている場合、遺伝子に関する情報等の治療や診断に役立つ情報の提示が望ましいと考えられる。そこで、上記の構成によれば、端末装置のカテゴリに応じた種類の情報を選択する構成としている。これにより、ユーザの求めている情報を提示することが可能になる。なお、上記カテゴリは、そのカテゴリの端末装置のユーザに提示することが望ましい情報をある程度特定することができるようなカテゴリ、言い換えれば、そのカテゴリに応じた健康管理情報の種別が決まるようなカテゴリであればよい。例えば、端末装置の設置場所（端末装置が設置されている施設）や、端末装置の使用者（医療関係者、飲食店客等）、あるいは用途（医療用等）により、端末装置をカテゴリ分けしてもよい。
【００１５】
また、上記健康管理情報には、上記先天因子情報および上記後天因子情報に基づく当該ユーザの健康管理に関するアドバイスが含まれており、上記情報処理装置は、上記後天因子情報が更新された場合に、更新後の後天因子情報と上記先天因子情報とに基づくものとなるように、上記アドバイスの内容を更新する更新手段を備えていることが好ましい。
【００１６】
上記の構成によれば、後天因子情報が更新された場合に、更新後の後天因子情報と先天因子情報とに基づくものとなるように、アドバイスの内容を更新するので、後天因子情報の更新が反映された適切なアドバイスをユーザに提示することができる。
【００１７】
また、本発明の端末装置は、上記の課題を解決するために、健康管理情報を出力する出力部を備えた端末装置であって、上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、上記健康管理情報の提示対象のユーザを特定するユーザ特定手段と、ユーザ毎に上記健康管理情報が格納されたデータベースから取得された、上記ユーザ特定手段が特定したユーザの健康管理情報を上記出力部に出力させる出力制御手段と、を備えていることを特徴としている。
【００１８】
上記の構成によれば、ユーザ毎に健康管理情報が格納されたデータベースを用い、特定したユーザの健康管理情報を出力させるので、ユーザは、上記端末装置に自らを特定させることにより、自分の健康管理情報の提示を受けることができる。よって、上記の構成によれば、個々のユーザに応じた健康管理情報を容易に利用できるようにすることができる。
【００１９】
また、本発明の情報処理システムは、上記の課題を解決するために、情報処理装置によって健康管理情報を端末装置に出力させる情報処理システムであって、上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、上記端末装置は、該端末装置のユーザを上記情報処理装置に通知し、上記情報処理装置は、上記端末装置から通知されたユーザの健康管理情報を、ユーザ毎に上記健康管理情報が格納されたデータベースから取得し、取得した健康管理情報を当該端末装置に送信して出力させる。この情報処理システムによれば、上記情報処理装置と同様の作用効果を奏する。
【００２０】
また、本発明の携帯型記録媒体は、上記の課題を解決するために、ユーザの健康に影響のある先天的な因子を示す先天因子情報とユーザの健康に影響のある後天的な因子を示す後天因子情報との少なくとも何れかに基づいて生成された、該ユーザの健康管理に関する健康管理情報が、該健康管理情報を端末装置が読み取って出力することができるように電子的に記録されていることを特徴としている。
【００２１】
上記の構成によれば、携帯型記録媒体に記録された健康管理情報を端末装置に読み取らせて、該端末装置に出力させることができる。よって、上記携帯型記録媒体のユーザは、この携帯型記録媒体を持ち歩き、必要に応じて端末装置にこれを読み取らせることにより、自身の健康管理情報の提示を受けることができる。したがって、上記の構成によれば、個々のユーザに応じた健康管理情報を容易に利用できるようにすることができる。
【００２２】
また、上記携帯型記録媒体は、形状がカード型であることが好ましい。カード型の形状は、持ち運びに便利であり、また、端末装置に読み取らせることも容易であるからである。
【００２３】
また、本発明の情報処理装置の制御方法は、上記の課題を解決するために、健康管理情報を端末装置に出力させる情報処理装置の制御方法であって、上記健康管理情報には、ユーザの健康に影響のある先天的な因子を示す先天因子情報とユーザの健康に影響のある後天的な因子を示す後天因子情報との少なくとも何れかに基づいて生成された、該ユーザの健康管理に関する情報が含まれており、上記健康管理情報の提示対象のユーザを特定するユーザ特定ステップと、上記ユーザ特定ステップで特定したユーザの健康管理情報を、ユーザ毎に上記健康管理情報が格納されたデータベースから取得して上記端末装置に出力させる出力制御ステップと、を含む。この情報処理装置の制御方法によれば、上記情報処理装置と同様の作用効果を奏する。
【００２４】
本発明の各態様に係る情報処理装置および端末装置は、コンピュータによって実現してもよく、この場合には、コンピュータを上記情報処理装置および端末装置が備える各手段として動作させることにより上記情報処理装置および端末装置をコンピュータにて実現させる情報処理装置の制御プログラム、端末装置の制御プログラム、およびこれらのプログラムを記録したコンピュータ読み取り可能な記録媒体も、本発明の範疇に入る。
【発明の効果】
【００２５】
本発明によれば、個々のユーザに応じた健康管理に有用な健康管理情報を容易に利用できるようにし、これにより、望ましい生活習慣に沿った行動を自然に実施させることができるという効果を奏する。
【図面の簡単な説明】
【００２６】
【図１】本発明の実施形態１に係る健康管理システムを構成するサーバの要部構成の一例を示すブロック図である。
【図２】上記健康管理システムの概要を示す図である。
【図３】カードを用いて端末装置に健康管理情報を出力させた状態を示す図であり、同図の（ａ）は医療機関に設置された端末装置に出力させた例を示し、同図の（ｂ）は飲食店に設置された端末装置に出力させた例を示している。
【図４】健康管理情報ＤＢの一例を示す図である。
【図５】設置場所情報の一例を示す図である。
【図６】種別選択情報の一例を示す図である。
【図７】上記端末装置の要部構成の一例を示すブロック図である。
【図８】上記サーバが健康管理情報を送信する際の処理の一例を示すフローチャートである。
【図９】上記端末装置が健康管理情報を取得して出力する際の処理の一例を示すフローチャートである。
【図１０】上記サーバが健康管理情報を更新する際の処理の一例を示すフローチャートである。
【図１１】本発明の実施形態２に係る端末装置およびカードの要部構成の一例を示すブロック図である。
【図１２】本発明の実施形態３に係る健康管理システムを構成する携帯端末装置および端末装置の要部構成の一例を示すブロック図である。
【発明を実施するための形態】
【００２７】
〔実施形態１〕
本発明の実施形態１について図１から図１０に基づいて説明する。まず、図２に基づいて本実施形態の健康管理システム（情報処理システム）５の概要を説明する。図２は、健康管理システム５の概要を示す図である。
【００２８】
健康管理システム５は、健康管理サービスを提供するためのシステムである。図２の健康管理システム５は、サーバ（情報処理装置）１、端末装置２Ａ、２Ｂ、２Ｃ（以下、各端末装置を区別する必要がないときには「端末装置２」と記載する）、および健康管理情報ＤＢ３を含む。この健康管理システム５のユーザは、自身のユーザＩＤが記録されたカード４を用いて健康管理サービスを利用する。なお、端末装置２の数は特に限定されない。
【００２９】
健康管理情報ＤＢ３は、健康管理サービスのユーザの健康管理に関する情報である健康管理情報を格納するデータベースである。具体的には、健康管理情報ＤＢ３は、ユーザのそれぞれに対し、健康管理情報として、遺伝子関連情報（先天因子情報）、生活環境情報（後天因子情報）、および提示情報が対応付けられている。
【００３０】
遺伝子関連情報は、ユーザの遺伝子解析の結果として得られた塩基配列等の情報であり、生活環境情報は、ユーザの運動や食事等の生活環境（活動状況）に関する情報である。そして、提示情報は、遺伝子関連情報と生活環境情報に基づいて生成された、健康管理に関するアドバイス（遺伝子関連情報と生活環境情報に基づく、ユーザの健康に関する判定結果）を含む情報である。なお、提示情報は、遺伝子関連情報と生活環境情報の双方に基づくものであることが好ましいが、一方のみ基づくものであってもよい。
【００３１】
端末装置２は、健康管理サービスのユーザが健康管理情報を閲覧するために使用する装置である。具体的には、端末装置２は、カード４からユーザＩＤを読み出し、そのユーザＩＤに対応する健康管理情報をサーバ１から取得して出力する。また、端末装置２は、その設置場所によってカテゴリ分けされており、そのカテゴリに応じた健康管理情報を出力する。例えば、同じユーザＩＤであっても、医療機関に設置された端末装置２Ａに読み込ませた場合と、飲食店に設置された端末装置２Ｂに読み込ませた場合と、スポーツクラブに設置された端末装置２Ｃに読み込ませた場合とでそれぞれ異なる情報が出力される。
【００３２】
サーバ１は、端末装置２に健康管理情報を出力させる装置であり、健康管理情報ＤＢ３の情報の読み書きが可能なように該健康管理情報ＤＢ３と接続されていると共に、通信ネットワークを介して通信可能なように端末装置２と接続されている。そして、サーバ１は、端末装置２から受信したユーザＩＤおよび該ユーザＩＤの送信元の端末装置２のカテゴリ（この例では設置場所）に応じた健康管理情報を健康管理情報ＤＢ３から読み出して、当該端末装置２に送信する。
【００３３】
以上のように、健康管理システム５によれば、ユーザは、様々な場所に設置されている端末装置２にカード４を読み込ませるだけで、その端末装置２に自身の健康管理情報を出力させることができる。よって、健康管理情報を容易に利用することを可能にし、これにより、ユーザの健康増進に寄与することができる。
【００３４】
また、健康管理システム５によれば、健康管理情報ＤＢ３に格納されている健康管理情報のうち、カード４を読み込ませた端末装置２が端末装置２Ａ、２Ｂ、および２Ｃの何れであるかに応じた情報を出力する。よって、ユーザの居場所や状況に応じた適切な情報を提示することができる。
【００３５】
これについて、図３に基づいてより詳細に説明する。図３は、カード４を用いて端末装置２に健康管理情報を出力させた状態を示す図であり、同図の（ａ）は医療機関に設置された端末装置２Ａに出力させた例を示し、同図の（ｂ）は飲食店に設置された端末装置２Ｂに出力させた例を示している。
【００３６】
図３の（ａ）の例では、ユーザは、医療機関に設置された端末装置２Ａ（「医療機関」とのカテゴリに分類された端末装置）の読取部５０にカード４をかざして、このカード４に格納されたユーザＩＤを読み取らせている。そして、これにより、端末装置２Ａの表示部５２には、健康管理情報として、そのユーザの遺伝子型からみて、そのユーザの疾患Ａになりやすさが、平均的な疾患Ａのなりやすさと比べて１．２倍であることを示す情報が表示されている。このような情報は、ユーザの治療や診断、あるいは健康に関するアドバイスを行う医療機関において有用である。なお、このような態様で提示される疾患は、遺伝子型が直接的または間接的に関連する疾患であればよい。
【００３７】
一方、同図の（ｂ）の例では、ユーザは、飲食店に設置された端末装置２Ｂ（「飲食店」とのカテゴリに分類された端末装置）の読取部５０にカード４をかざして、このカード４に格納されたユーザＩＤを読み取らせている。そして、これにより、端末装置２Ｂの表示部５２には、健康管理情報として、そのユーザの遺伝子型からみて推奨される飲み物（ユーザの健康維持に効果がある飲み物）を示す情報が表示されている。このような情報は、ユーザが飲食物を選択する飲食店において有用である。
【００３８】
〔健康管理情報ＤＢの構成〕
次に、健康管理情報ＤＢ３の構成を図４に基づいて説明する。図４は、健康管理情報ＤＢ３の一例を示す図である。図４の健康管理情報ＤＢ３は、健康管理サービスの各ユーザのユーザＩＤに対し、当該ユーザの遺伝子関連情報、提示情報、および生活環境情報が対応付けられた情報を格納している。
【００３９】
より詳細には、遺伝子関連情報として、ユーザの遺伝子の塩基配列、該塩基反列における一塩基多型の有無を示す一塩基多型情報、および上記塩基配列に基づく疾患のなりやすさを示す疾患発症リスク情報が含まれている。これらの情報は、先天的なものであるから、格納された後は、基本的に更新されることはない。
【００４０】
また、生活環境情報として、薬の処方履歴を示す調剤情報、健康診断の結果を示す健診情報、歩数計で計測した歩数等のユーザの活動履歴を示す活動情報、およびユーザの食事履歴が含まれている。これらの情報は、随時生成あるいは取得されるものであり、生成された新たな情報は健康管理情報ＤＢ３に追加される。なお、これらの情報の取得方法は特に限定されないが、例えば調剤情報であれば、調剤を行った薬局から取得してもよいし、調剤情報を管理しているサーバから取得してもよい。また、健診情報であれば、健康診断の結果を管理しているサーバから取得してもよい。そして、活動情報であれば、歩数計等の活動情報を取得する装置から取得してもよいし、スポーツジム等で計測された活動情報を、例えばそのスポーツジムのサーバ等から取得してもよい。また、食事履歴については、ユーザが入力した食事内容を取得してもよいし、飲食店等で注文したメニューを、例えばその飲食店のサーバ等から取得してもよい。
【００４１】
そして、提示情報として、健康増進のために好ましい食生活に関するアドバイスである食品関連情報、および健康増進のために好ましい生活習慣に関するアドバイスである生活習慣関連情報が含まれている。上述のように、提示情報は、遺伝子関連情報および生活環境情報に基づいて生成される情報であり、生活環境情報は更新（情報が追加）される。このため、提示情報についても、生活環境情報の更新に伴って更新される。
【００４２】
〔サーバの構成〕
次に、サーバ１の構成を図１に基づいて説明する。図１は、サーバ１の要部構成の一例を示すブロック図である。図示のように、サーバ１は、サーバ通信部１０、サーバ制御部１１、およびサーバ記憶部１２を備えている。
【００４３】
サーバ通信部１０は、サーバ１が外部の装置と通信するためのものである。上述のように、サーバ１は端末装置２と通信するため、サーバ通信部１０は、端末装置２と通信可能なものとする。例えば、サーバ通信部１０は、端末装置２とインターネットを介して通信するものであってもよい。
【００４４】
サーバ制御部１１は、サーバ１の機能を統括して制御するものであり、要求取得部（ユーザ特定手段）２０、端末分類判定部（判定手段）２１、情報種別選択部（選択手段）２２、情報送信部（出力制御手段）２３、ＤＢ管理部２４、および提示情報更新部（更新手段）２５を含む。
【００４５】
要求取得部２０は、端末装置２からの健康管理情報の送信要求を受け付ける。そして、この送信要求に含まれるユーザＩＤを、健康管理情報の提示対象となるユーザのＩＤであると特定して、該ユーザＩＤを情報送信部２３に送信する。また、要求取得部２０は、送信要求に含まれる、端末装置２の識別情報である端末ＩＤを端末分類判定部２１に送信する。
【００４６】
端末分類判定部２１は、要求取得部２０から受信した端末ＩＤの示す端末装置２が、予め定められたカテゴリの何れに分類されるか判定し、この判定結果を情報種別選択部２２に送信する。具体的には、端末分類判定部２１は、設置場所情報３０を参照して、受信した端末ＩＤの示す端末装置２が予め設定された設置場所のカテゴリのうち、何れに属するか判定する。
【００４７】
つまり、本実施形態では、設置場所によって端末装置２を分類している。なお、端末装置２のカテゴリは、そのカテゴリの端末装置２のユーザに提示することが望ましい情報をある程度特定することができるようなカテゴリ、言い換えればそのカテゴリに応じた健康管理情報の種別が決まるようなものであればよく、この例に限られない。例えば、端末装置２の使用者によって、該端末装置２をカテゴリ分けしてもよい。具体例を挙げれば、医療関係者、飲食店客、薬剤師、スポーツクラブ利用者等のカテゴリを設けてもよい。この場合、医療関係者のカテゴリの端末装置２には遺伝子関連情報を出力させ、飲食店客のカテゴリの端末装置２には提示情報の食品関連情報を出力させるといった健康管理情報の適切な出し分けを行うことができる。
【００４８】
なお、設置場所情報３０は、各端末装置２の設置場所を示す情報であり、例えば図５のような情報であってもよい。図５は、設置場所情報３０の一例を示す図である。図示の設置場所情報３０は、端末ＩＤとその設置場所とが対応付けられた情報であり、この設置場所情報３０を参照することにより、各端末装置２の設置場所を特定することができる。
【００４９】
情報種別選択部２２は、健康管理情報に含まれる複数種類の情報のうち、ユーザに提示する情報の種類を選択する。具体的には、情報種別選択部２２は、種別選択情報３１を参照して、端末分類判定部２１から受信した判定結果、すなわち端末装置２のカテゴリに応じた種別を選択し、選択した種別を情報送信部２３に通知する。
【００５０】
種別選択情報３１は、端末装置２に送信する健康管理情報の種別を選択するために用いられる情報であり、例えば図６のような情報であってもよい。図６は、種別選択情報３１の一例を示す図である。図示の種別選択情報３１は、端末装置２の設置場所と健康管理情報の種別とが対応付けられた情報であり、この種別選択情報３１を参照することにより、端末装置２の設置場所に応じた健康管理情報の種別を特定することができる。
【００５１】
なお、同図における「○」は当該種別の情報を無条件で出力させることを意味し、「△」は所定の条件を満たした場合に出力させることを意味する。所定の条件は、特に限定されないが、例えばユーザの了承を得るという条件であってもよい。なお、ユーザが出力を承諾する方法は特に限定されないが、例えば端末装置２において、出力を許可するためのボタン（ソフトウェアキーでもよい）が操作された場合に、ユーザの了承が得られたと判定して、当該種別の情報を出力してもよい。
【００５２】
例えば、図６の例では、スポーツクラブのカテゴリについては、食品関連情報が「△」、生活習慣関連情報が「○」となっている。このため、ユーザは、生活習慣関連情報については、無条件で出力させることができる。一方、食品関連情報については、ユーザが当該情報の出力を了承した（例えば出力を許可するための所定の操作が行われた）ことを条件として出力させることができる。例えば、トレーナーがユーザに適切なアドバイスを行うために食品関連情報が必要と判断し、ユーザがこれを了承した場合に、食品関連情報を出力させることもできる。
【００５３】
情報送信部２３は、健康管理情報を取得してユーザに提示する。具体的には、情報送信部２３は、要求取得部から受信したユーザＩＤに対応付けられた健康管理情報のうち、情報種別選択部２２から通知された種別の健康管理情報を健康管理情報ＤＢ３から読み出す。そして、読み出した健康管理情報を、サーバ通信部１０を介して端末装置２に送信し、端末装置２にこの健康管理情報を出力させることにより、該健康管理情報をユーザに提示する。
【００５４】
ＤＢ管理部２４は、健康管理情報ＤＢ３を管理する。具体的には、ＤＢ管理部２４は、健康管理情報ＤＢ３に格納されている健康管理情報のうち、生活環境情報をその種類に応じた所定の更新タイミングで更新し、その旨を提示情報更新部２５に通知する。例えば、健診情報であれば、所定のサーバにその年の健診情報が格納された後、当該サーバに更新情報要求を送信して、当該健診情報を取得し、健康管理情報ＤＢ３に格納してもよい。また、例えば、活動情報であれば、活動情報の計測装置から活動情報を受信したときに、当該活動情報を健康管理情報ＤＢ３に格納してもよい。
【００５５】
さらに、体重や血圧などの定期的な測定が望ましい活動情報であれば、定期的（例えば１日毎）に活動情報の計測装置に更新情報要求を送信して、活動情報を取得してもよい。また、この場合、活動情報に抜けがあれば、抜けている活動情報を所定の演算により補間してもよい。これにより、抜けのない活動情報をユーザに提示することができる。
【００５６】
提示情報更新部２５は、ＤＢ管理部２４から生活環境情報を更新した旨の通知を受信すると、この更新が反映されるように、健康管理情報に含まれる提示情報を更新する。更新の態様は、更新後の提示情報が、更新後の生活環境情報に基づくものとなるような態様であれば特に限定されない。
【００５７】
例えば、更新対象となる提示情報が、特定の疾患を回避するために「体重を減らす」ことをアドバイスするものであった場合に、更新後の生活環境情報が「体重が増加している」ことを示していれば、上記疾患のリスクが上がったことを認識させ、「体重を減らす」必要性が高まったことをアドバイスする、といった内容に提示情報を更新してもよい。なお、アドバイスの内容（テキスト等）は予め記憶しておき、体重の増減などの生活環境情報の変動に応じた適切なアドバイスの内容を読み出し、これが新たな提示情報となるように健康管理情報ＤＢ３を更新すればよい。
【００５８】
なお、提示情報の更新は、ユーザに提示すべき情報を更新する必要がある場合に行えばよい。例えば、体重が増加した場合であっても、その増加の程度が健康管理上問題のない程度であれば、ユーザに提示すべき情報は変わらないため、このような場合には提示情報の更新は行わなくともよい。
【００５９】
サーバ記憶部１２は、サーバ１が使用する各種データを格納する。具体的には、図示のサーバ記憶部１２には、設置場所情報３０および種別選択情報３１が格納されている。これらの情報は既に説明した通りであるから、ここでは説明を省略する。なお、サーバ記憶部１２は、健康管理情報ＤＢ３と同様に、サーバ１の外部の記録装置であってもよい。
【００６０】
〔端末装置の構成〕
次に、端末装置２の構成を図７に基づいて説明する。図７は、端末装置２の要部構成の一例を示すブロック図である。図示のように、端末装置２は、読取部５０、端末通信部５１、表示部（出力部）５２、端末制御部５３、および端末記憶部５４を備えている。また、同図では、健康管理サービスのユーザが使用するカード４も図示している。カード４には、ユーザを識別するユーザＩＤ４０が格納されている。
【００６１】
読取部５０は、カード４に格納されているユーザＩＤ４０を読み取る。読取部５０は、カード４からユーザＩＤ４０を読み取ることができるものであれば特に限定されず、例えばカード４をＲＦＩＤ（Radio Frequency IDentification）タグとした場合、読取部５０をＲＦＩＤリーダとすればよい。この他にも、Ｂｌｕｅｔｏｏｔｈ（登録商標）やＮＦＣ（Near Field Communication）等の近距離無線通信にてユーザＩＤ４０を読み取る構成としてもよいし、ユーザＩＤ４０がバーコードやＱＲコード（登録商標）で記録されている場合には、これを撮影して読み取る構成としてもよい。
【００６２】
端末通信部５１は、端末装置２が外部の装置と通信するためのものである。上述のように、端末装置２はサーバ１と通信するため、端末通信部５１は、サーバ１と通信可能なものとする。
【００６３】
表示部５２は、端末制御部５３の制御に従って画像を表示する。具体的には、表示部５２は、読取部５０にて読み取ったユーザＩＤ４０のユーザの健康管理情報等を表示する。
【００６４】
端末制御部５３は、端末装置２の機能を統括して制御するものであり、健康管理情報取得部（ユーザ特定手段）６０および出力制御部（出力制御手段）６１を備えている。
【００６５】
健康管理情報取得部６０は、カード４のユーザに提示する健康管理情報をサーバ１から取得する。具体的には、健康管理情報取得部６０は、読取部５０がカード４から読み取ったユーザＩＤ４０の示すユーザを、健康管理情報の提示対象であると特定する。そして、該ユーザＩＤと、端末記憶部５４から読み出した端末ＩＤ６５とを対応付けて、端末通信部５１を介してサーバ１に送信する。そして、サーバ１から、ユーザＩＤ４０と端末ＩＤ６５に対応する健康管理情報を受信する。
【００６６】
出力制御部６１は、健康管理情報取得部６０が取得した健康管理情報を出力させる。具体的には、出力制御部６１は、取得された健康管理情報を表示部５２に表示させる。
【００６７】
端末記憶部５４は、端末装置２が使用する各種データを格納する。具体的には、図示の端末記憶部５４には、自装置の識別情報である端末ＩＤ６５が格納されている。なお、端末記憶部５４は、端末装置２の外部の記録装置であってもよい。
【００６８】
〔健康管理情報を送信する処理（サーバ）〕
続いて、サーバ１が健康管理情報を送信する際の処理（情報処理装置の制御方法）を図８に基づいて説明する。図８は、サーバ１が健康管理情報を送信する際の処理の一例を示すフローチャートである。
【００６９】
要求取得部２０は、端末装置２からユーザＩＤおよび端末ＩＤを受信すると（Ｓ１、ユーザ特定ステップ）、受信したユーザＩＤを情報送信部２３に通知し、端末ＩＤを端末分類判定部２１に通知する。そして、端末分類判定部２１は、通知された端末ＩＤの示す端末装置２の分類を判定する（Ｓ２）。具体的には、端末分類判定部２１は、サーバ記憶部１２に格納されている設置場所情報３０を参照して、通知された端末ＩＤに対応する設置場所を判定し、判定結果を情報種別選択部２２に通知する。
【００７０】
次に、情報種別選択部２２は、サーバ記憶部１２に格納されている種別選択情報３１を参照して、上記通知された分類に応じた健康管理情報の種別を判定し、判定結果を情報送信部２３に通知する。
【００７１】
そして、情報送信部２３は、健康管理情報ＤＢ３において、上記通知されたユーザＩＤに対応付けられている健康管理情報のうち、上記通知された種別の情報を読み出す（Ｓ４）。最後に、情報送信部２３は、読み出した情報を端末装置２に送信して出力させ（Ｓ５、出力制御ステップ）、これにより処理は終了する。
【００７２】
〔健康管理情報を取得して出力する処理（端末装置）〕
続いて、端末装置２が健康管理情報を取得して出力する際の処理を図９に基づいて説明する。図９は、端末装置２が健康管理情報を取得して出力する際の処理の一例を示すフローチャートである。
【００７３】
読取部５０は、カード４からユーザＩＤ４０を読み取り（Ｓ１１）、端末制御部５３に出力する。次に、端末制御部５３の健康管理情報取得部６０は、上記ユーザＩＤ４０と、端末記憶部５４から読み出した端末ＩＤ６５とを対応付けてサーバ１に送信する（Ｓ１２）。
【００７４】
上述のように、ユーザＩＤ４０と端末ＩＤ６５を受信したサーバ１は、ユーザＩＤ４０および端末装置２の分類に応じた健康管理情報を送信するので（図８のＳ１〜Ｓ５参照）、健康管理情報取得部６０は、これを受信する（Ｓ１３）。そして、健康管理情報取得部６０は、受信した健康管理情報を出力制御部６１に通知し、出力制御部６１がこれを表示部５２に表示出力させて（Ｓ１４）、処理は終了する。
【００７５】
なお、本実施形態では、サーバ１が端末装置２に出力させる健康管理情報を選択する例を説明したが、健康管理情報の選択は端末装置２で行ってもよい。この場合、サーバ１は、端末装置２から通知されたユーザＩＤの健康管理情報を全て端末装置２に送信し、端末装置２において、当該健康管理情報のうち、該端末装置２の設置場所に応じた種別の情報を選択して出力すればよい。また、本実施形態では、端末装置２の種別をサーバ１が判定しているが、端末装置２の種別の判定は端末装置２で行い、その判定結果をサーバ１に通知する構成としてもよい。
【００７６】
〔健康管理情報の更新処理（サーバ）〕
続いて、サーバ１が健康管理情報を更新する際の処理を図１０に基づいて説明する。図１０は、サーバ１が健康管理情報を更新する際の処理の一例を示すフローチャートである。
【００７７】
ＤＢ管理部２４は、健康管理情報ＤＢ３に格納されている健康管理情報のうち、更新対象となる種別の情報のそれぞれについて、その更新タイミングを管理している。そして、ＤＢ管理部２４は、健康管理情報の更新タイミングとなったか判定し（Ｓ２１）、更新タイミングとなっている場合（Ｓ２１でＹＥＳ）、当該健康管理情報の更新情報要求を送信する（Ｓ２２）。なお、更新情報要求の送信先は、当該健康管理情報について予め定められている。例えば、更新する健康管理情報が健診情報であれば、健診情報を管理するサーバ等に更新情報要求を送信し、更新する健康管理情報が活動情報であれば、活動情報を生成・記録する装置（例えば通信機能を備えた、体重計や歩数計）等に更新情報要求を送信する。
【００７８】
続いて、ＤＢ管理部２４は、送信した更新情報要求に対する応答として更新情報を受信し（Ｓ２３）、受信した更新情報を健康管理情報ＤＢ３に追加する（Ｓ２４）。また、ＤＢ管理部２４は、上記更新情報を追加した旨を提示情報更新部２５に通知する。そして、提示情報更新部２５は、追加された更新情報に応じて提示情報を更新し（Ｓ２５）、これにより処理はＳ２１に戻る。
【００７９】
なお、本実施形態では、サーバ１と端末装置２とが別体の装置である例を示したが、サーバ１と端末装置２が一体に構成されていてもよい。言い換えれば、端末装置２がサーバ１の機能を備えていてもよい。この場合、端末装置２がカード４から読み取ったユーザＩＤに応じた健康管理情報を健康管理情報ＤＢ３から取得して出力することになる。
【００８０】
〔実施形態２〕
上記実施形態では、健康管理情報ＤＢ３に格納されている健康管理情報を、サーバ１を介して取得する例を示したが、健康管理情報の格納先はこれに限られず、例えばカードに記録してもよい。本実施形態では、ユーザの健康管理情報をカードに記録する例を図１１に基づいて説明する。図１１は、実施形態２の端末装置２０２およびカード（携帯型記録媒体）２０４の要部構成の一例を示すブロック図である。なお、上記実施形態と同様の構成には同一の参照番号を付し、その説明を省略する。
【００８１】
カード２０４は、上記実施形態のカード４と同様に、健康管理サービスを利用するための携帯型記録媒体であるが、記録されている情報がカード４とは異なっている。具体的には、カード２０４には、健康管理情報２４０が、該健康管理情報２４０を端末装置２０２が読み取って出力することができるように電子的に記録されている。健康管理情報２４０は、カード２０４のユーザのユーザＩＤと健康管理情報が対応付けられた情報である。健康管理情報の内容自体は、図４の例と同様であるが、健康管理情報２４０は、カード２０４のユーザ以外の健康管理情報は含まない点で相違している。
【００８２】
ここで、健康管理情報は、遺伝子配列などのユーザに固有の情報を含むため、個人の特徴を表す情報であるとも言える。そして、このような観点からは、取扱いの際には必要に応じて匿名の情報として扱うことが必要な情報であると言え、他人によって安易に参照されるべきでない情報であるとも言える。
【００８３】
そして、従来から、会員情報等の個人を特定する情報と共に、ポイントや仮想通貨を携帯可能とするためのカードが普及している。しかしながら、従来は、上記健康管理情報のような個人の特徴を示す情報を持ち運び、多くの用途に活用する、という発想はなかった。
【００８４】
そこで、本実施形態では、カード２０４により、このような個人の特徴を示す情報を持ち運び、活用することを可能にしている。なお、健康管理情報は、単にこれをユーザに提示するのみに限られず、様々な用途に利用できる。また、本実施形態の構成では、個人情報である健康管理情報をネットワーク上のデータベースにアップロードしておく必要がないので、個人情報の大規模な流出が生じにくいという利点がある。
【００８５】
端末装置２０２は、カード２０４から読み取った健康管理情報２４０を出力する装置であり、読取部５０、表示部５２、端末制御部５３、および端末記憶部５４を備えている。端末制御部５３には、情報種別選択部２６０および出力制御部６１が含まれている。また、端末記憶部５４には、端末装置２０２の分類（例えば設置場所）に応じた健康管理情報の種別を指定する種別指定情報２６５が格納されている。例えば、医療機関に設置するあるいは設置された端末装置２０２については、遺伝子関連情報を指定する種別指定情報２６５を格納しておく。
【００８６】
情報種別選択部２６０は、読取部５０が健康管理情報２４０を読み取ると、この健康管理情報２４０に含まれる情報のうち、種別指定情報２６５で指定される種別の情報を選択し、出力制御部６１に通知する。そして、出力制御部６１が、この情報を表示部５２に表示出力させる。これにより、カード２０４のユーザは、自身の健康管理情報のうち、端末装置２０２の分類に応じた情報を表示部５２で確認することができる。
【００８７】
なお、本実施形態のように、健康管理情報２４０をカード２０４に記録する場合、生活環境情報や提示情報の更新の際は、カード２０４に記録された情報を書き換えることのできるライタ装置を用いればよい。この他、健康管理情報２４０をサーバにも格納しておき、ユーザ操作に応じて、あるいは定期的に、サーバに格納された健康管理情報２４０との同期を取ることによって、カード２０４に格納された健康管理情報２４０を更新してもよい。
【００８８】
〔実施形態３〕
上記実施形態では、健康管理情報を端末装置２または２０２に出力させる例を示したが、健康管理情報を出力させる装置はこれに限られず、例えばユーザの携帯端末装置に出力させてもよい。また、この場合、健康管理情報を取得するためのユーザＩＤを当該携帯端末装置に格納してもよい。
【００８９】
本実施形態では、ユーザＩＤを格納した携帯端末装置にて健康管理情報を取得して出力する例を図１２に基づいて説明する。図１２は、実施形態３の健康管理システム（情報処理システム）３０５を構成する携帯端末装置（端末装置）３０４および端末装置３０２の要部構成の一例を示すブロック図である。なお、上記実施形態と同様の構成には同一の参照番号を付し、その説明を省略する。
【００９０】
健康管理システム３０５は、上記実施形態の健康管理システム５と同様に健康管理サービスを提供するためのシステムであり、サーバ１、端末装置３０２、健康管理情報ＤＢ３、および携帯端末装置３０４を含む。なお、図１２では端末装置３０２を１つのみ示しているが、健康管理システム３０５に含まれる端末装置３０２の数は特に限定されず、複数であってもよい。
【００９１】
〔携帯端末装置の構成〕
携帯端末装置３０４は、ユーザＩＤを格納し、該ユーザＩＤに対応する健康管理情報を受信して出力する機能を有する携帯型の装置であり、例えばスマートフォンや携帯電話機等のように、上記機能以外の機能も備えた装置であってもよい。図示の携帯端末装置３０４は、携帯端末制御部３７０、携帯端末通信部３７１、携帯端末記憶部３７２、および表示部３７３を備えている。
【００９２】
携帯端末制御部３７０は、携帯端末装置３０４の機能を統括して制御するものであり、健康管理情報取得部（ユーザ特定手段）３８０および出力制御部（出力制御手段）３８１を含む。
【００９３】
健康管理情報取得部３８０は、健康管理情報を取得する。具体的には、健康管理情報取得部３８０は、携帯端末記憶部３７２から読み出したユーザＩＤ４０のユーザを健康管理情報の提示対象として特定し、該ユーザＩＤ４０を、携帯端末通信部３７１を介して端末装置３０２に送信する。そして、端末装置３０２から、該端末装置３０２の端末ＩＤ６５および送信したユーザＩＤ４０に対応する健康管理情報を受信する。
【００９４】
出力制御部３８１は、健康管理情報取得部３８０が取得した健康管理情報を出力させる。具体的には、出力制御部３８１は、取得された健康管理情報を表示部３７３に表示させる。
【００９５】
健康管理情報取得部３８０および出力制御部３８１は、例えばアプリケーションソフトウェアにて実現してもよい。この場合、スマートフォン等の一般的な携帯端末装置に当該アプリケーションソフトウェアをインストールするだけで、これを携帯端末装置３０４として機能させることができる。また、上記の例では、ユーザＩＤ４０を携帯端末記憶部３７２に格納しているが、ユーザＩＤ４０は健康管理情報の取得時にユーザが入力してもよい。
【００９６】
携帯端末通信部３７１は、携帯端末装置３０４が外部の装置と通信するためのものである。携帯端末装置３０４は端末装置３０２と通信するため、携帯端末通信部３７１は、端末装置３０２と通信可能なものとする。なお、携帯端末通信部３７１の通信範囲が広すぎると、携帯端末装置３０４から距離の離れた位置の端末装置３０２に応じた健康管理情報が出力されてしまう可能性があるため、携帯端末通信部３７１の通信範囲は、中距離から近距離であることが好ましい。例えば、Ｂｌｕｅｔｏｏｔｈ等で通信を行うものとしてもよい。
【００９７】
携帯端末記憶部３７２は、携帯端末装置３０４が使用する各種データを格納する。具体的には、図示の携帯端末記憶部３７２には、ユーザＩＤ４０が格納されている。
【００９８】
表示部３７３は、携帯端末制御部３７０の制御に従って画像を表示する。具体的には、取得した健康管理情報等を表示する。
【００９９】
〔端末装置の構成〕
端末装置３０２は、端末通信部５１、端末制御部５３、および端末記憶部５４を備えている。そして、端末制御部５３には中継部３６０が含まれており、端末記憶部５４には端末ＩＤ６５が格納されている。なお、図１２では、１つの端末通信部５１にて携帯端末装置３０４およびサーバ１の双方と通信する例を示しているが、個別の通信部にて携帯端末装置３０４およびサーバ１のそれぞれと通信してもよい。
【０１００】
中継部３６０は、携帯端末装置３０４から受信するユーザＩＤ４０に対応する健康管理情報をサーバ１から取得して携帯端末装置３０４に送信する。具体的には、中継部３６０は、携帯端末装置３０４からユーザＩＤ４０を受信すると、このユーザＩＤをサーバ１に転送する。また、この際に、端末装置３０２を識別する端末ＩＤ６５についても合わせて送信する。そして、ユーザＩＤ４０および端末装置３０２の分類（例えば設置場所）に応じた健康管理情報をサーバ１から受信し、これを携帯端末装置３０４に転送する。
【０１０１】
〔処理の流れ〕
以上の構成を備える健康管理システム３０５では、端末装置３０２が携帯端末通信部３７１の通信圏に入った状態（例えば、端末装置３０２が設置された店舗等に携帯端末装置３０４のユーザが入った状態）において、例えばユーザの所定の操作をトリガとして、健康管理情報取得部３８０は、ユーザＩＤ４０を携帯端末記憶部３７２から読み出す。そして、携帯端末通信部３７１を介してこのユーザＩＤ４０を端末装置３０２に送信する。
【０１０２】
次に、ユーザＩＤ４０を受信した端末装置３０２では、中継部３６０が当該ユーザＩＤ４０に端末ＩＤ６５を対応付けて、端末通信部５１を介してサーバ１に送信し、サーバ１から当該ユーザＩＤ４０および端末ＩＤ６５に対応する健康管理情報を受信する。そして、中継部３６０が、この健康管理情報を携帯端末装置３０４に送信する。
【０１０３】
最後に、健康管理情報を受信した携帯端末装置３０４では、健康管理情報取得部３３０が、受信した健康管理情報を出力制御部３８１に送信し、出力制御部３８１がこれを表示部３７３に表示させる。これにより、ユーザは、携帯端末装置３０４にて、自身の近くに位置する端末装置３０２に応じた健康管理情報を確認することができる。
【０１０４】
本実施形態の健康管理システム３０５によれば、１つの端末装置３０２にて、ある程度離れた位置にある複数の携帯端末装置３０４にほぼ同時に健康管理情報を出力させることが可能である。よって、店舗等の複数のユーザが集まる場所であっても端末装置３０２が込み合って、健康管理情報を出力させるための待ち時間が発生することを防ぐことができる。
【０１０５】
なお、携帯端末装置３０４は、端末装置３０２およびサーバ１を介して健康管理情報を取得しているが、端末装置３０２を介さずに直接サーバ１から健康管理情報を取得してもよい。この場合、携帯端末装置３０４は、例えば端末装置３０２に端末ＩＤ６５の送信を要求し、この要求に応じて受信した端末ＩＤ６５とユーザＩＤ４０をサーバ１に送信すればよい。
【０１０６】
〔変形例〕
実施形態１、３では、健康管理情報ＤＢ３がサーバ１から独立した構成である例を示したが、健康管理情報ＤＢ３はサーバ１の内部に格納されていてもよい。また、健康管理情報を、サーバ１を介さずに端末装置２が直接、健康管理情報ＤＢ３から読み出す構成とした場合には、健康管理情報ＤＢ３を端末装置２の内部に格納してもよい。つまり、健康管理情報ＤＢ３は、健康管理情報を読み出す装置が、健康管理情報を読み出すことができるように格納されていればよく、その格納先は特に限定されない。
【０１０７】
また、上記各実施形態では、端末装置２、２０２、３０２のカテゴリ（具体的には設置場所）に応じた健康管理情報を選択して出力する例を示したが、他の条件に基づいて出力する健康管理情報を選択してもよい。例えば、健康管理情報の出力要求がなされたときの時間帯を複数のカテゴリに分類しておいてもよい。これにより、例えば食事時の時間帯には食品関連情報を出力する等の処理が可能になる。また、例えば、ユーザを複数のカテゴリに分類しておき、ユーザの属するカテゴリに応じた健康管理情報を選択してもよい。これにより、未成年者には飲酒や喫煙に関する健康管理情報を提示しないようにしたり、遺伝子関連情報は医師にのみ提示されるようにしたりすることもできる。
【０１０８】
さらに、上記各実施形態では、健康管理情報を表示部５２、３７３に表示出力する例を示したが、健康管理情報の出力態様は、ユーザが出力された健康管理情報を認識できるものであればこの例に限られず、例えば音声出力してもよいし、印字出力してもよい。
【０１０９】
なお、上記各実施形態の構成において、端末装置２、２０２、３０２には、ユーザＩＤや、そのユーザの健康管理情報が送られるので、これらの情報を収集してマーケティングデータとして利用することもできる。
【０１１０】
〔ソフトウェアによる実現例〕
サーバ１、端末装置２、２０２、３０２、および携帯端末装置３０４の制御ブロック（特にサーバ制御部１１、端末制御部５３、および携帯端末制御部３７０）は、集積回路（ＩＣチップ）等に形成された論理回路（ハードウェア）によって実現してもよいし、ＣＰＵ（Central Processing Unit）を用いてソフトウェアによって実現してもよい。
【０１１１】
後者の場合、サーバ１、端末装置２、２０２、３０２、および携帯端末装置３０４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１３】
本発明は、例えば健康管理サービスを提供するために使用される各種装置に利用することができる。
【符号の説明】
【０１１４】
１  サーバ（情報処理装置）
２０  要求取得部（ユーザ特定手段）
２１  端末分類判定部（判定手段）
２２  情報種別選択部（選択手段）
２３  情報送信部（出力制御手段）
２５  提示情報更新部（更新手段）
２  端末装置
５２  表示部（出力部）
６０  健康管理情報取得部（ユーザ特定手段）
６１  出力制御部（出力制御手段）
３  健康管理情報ＤＢ（データベース）
５  健康管理システム（情報処理システム）
２０２  端末装置
２０４  カード（携帯型記録媒体）
２４０  健康管理情報
２６０  情報種別選択部（選択手段）
３０２  端末装置
３０４  携帯端末装置（端末装置）
３３０  健康管理情報取得部（ユーザ特定手段）
３８１  出力制御部（出力制御手段）
３７３  表示部（出力部）
３０５  健康管理システム（情報処理システム）
【図１】
0006607665.tif 000002
【図２】
0006607665.tif 000003
【図３】
0006607665.tif 000004
【図４】
0006607665.tif 000005
【図５】
0006607665.tif 000006
【図６】
0006607665.tif 000007
【図７】
0006607665.tif 000008
【図８】
0006607665.tif 000009
【図９】
0006607665.tif 000010
【図１０】
0006607665.tif 000011
【図１１】
0006607665.tif 000012
【図１２】
0006607665.tif 000013